(57)【要約】【課題】移動端末と基地局とから構成される無線ＬＡＮシステムにおいて、移動端末の省電力化を図りつつ、基地局への送信要求に対応するデータフレームを移動端末から基地局に短い待ち時間で送信することを目的とする。【解決手段】移動端末２は、基地局３への送信要求がないと判断すると、Ｎｕｌｌフレームを基地局３に送信し、そのＮｕｌｌフレームに対応するＡＣＫフレームが基地局３から返信されるか否かに基づいて、送信電力を基地局３と通信可能な最小の送信電力になるように制御する。【選択図】図１
2007174250.tif 000002
【特許請求の範囲】
【請求項１】
移動端末と基地局とにより構成される無線ＬＡＮシステムにおける前記移動端末の送信電力制御方法であって、
前記移動端末において前記基地局への送信要求がないと判断すると、前記移動端末の送信電力を前記基地局と通信可能な最小の送信電力になるように制御する、
ことを特徴とする移動端末の送信電力制御方法。
【請求項２】
請求項１に記載の移動端末の送信電力制御方法であって、
前記移動端末において前記基地局への送信要求が発生したとき前記移動端末の送信電力を前記基地局と通信可能な最小の送信電力になるように再度制御する、
ことを特徴とする移動端末の送信電力制御方法。
【請求項３】
請求項１または請求項２に記載の移動端末の送信電力制御方法であって、
前記移動端末において前記基地局への送信要求がないと判断すると、消費電力を抑えない通常モードから消費電力を抑えるパワーセーブモードに遷移する旨または前記パワーセーブモードから前記通常モードに復帰した旨を示す通知フレームを前記移動端末から前記基地局に送信し、該通知フレームに対応する応答フレームが前記基地局から前記移動端末に返信されるか否かに基づいて、前記移動端末の送信電力を前記基地局と通信可能な最小の送信電力になるように制御する、
ことを特徴とする移動端末の送信電力制御方法。
【請求項４】
請求項１〜３の何れか１項に記載の移動端末の送信電力制御方法であって、
前記移動端末から送信されるＲＴＳフレームまたは該ＲＴＳフレームに対応するＣＴＳフレームを受信する他の移動端末に送信禁止期間を設定する、
ことを特徴とする移動端末の送信電力制御方法。
【請求項５】
請求項４に記載の移動端末の送信電力制御方法であって、
前記ＲＴＳフレームを送信する際の前記移動端末の送信電力を前記基地局と通信可能な最小の送信電力になるように制御する、
ことを特徴とする移動端末の送信電力制御方法。
【請求項６】
請求項１〜５の何れか１項に記載の移動端末の送信電力制御方法であって、
前記移動端末の送信電力を制御する際、予め前記移動端末の送信電力を前記基地局と通信可能な送信電力になるように十分に大きくした後、該送信電力を前記基地局と通信可能な最小の送信電力になるように徐々に小さくしていく、
ことを特徴とする移動端末の送信電力制御方法。
【請求項７】
移動端末と基地局とにより構成される無線ＬＡＮシステムにおける前記移動端末の送信電力制御方法であって、
消費電力を抑えない通常モードから消費電力を抑えるパワーセーブモードに遷移する旨または前記パワーセーブモードから前記通常モードに復帰した旨を示す通知フレームを前記移動端末から前記基地局に送信し、該通知フレームに対応する応答フレームが前記基地局から前記移動端末に返信されるか否かに基づいて、前記移動端末の送信電力を前記基地局と通信可能な最小の送信電力になるように制御する、
ことを特徴とする移動端末の送信電力制御方法。
【請求項８】
無線ＬＡＮシステムにおいて基地局と通信する移動端末であって、
送信電力情報を保持する保持手段と、
前記基地局への送信要求の有無を検出する送信要求検出手段と、
前記基地局への送信要求が無いときに、前記送信電力情報に示す電力で前記基地局へ確認フレームを送信する送信手段と、
前記確認フレームに対して前記基地局から返信される応答フレームの有無を検出する応答フレーム検出手段と、
前記応答フレームの有無に応じて前記送信電力情報を制御する制御手段と、
を備えることを特徴とする移動端末。
【発明の詳細な説明】
【技術分野】
【０００１】
本発明は、移動端末と基地局とから構成される無線ＬＡＮシステムにおける移動端末の送信電力制御方法に関する。
【背景技術】
【０００２】
無線ＬＡＮ（Ｌｏｃａｌ  Ａｒｅａ  Ｎｅｔｗｏｒｋ）システムにおいて、移動端末の送信電力を基地局と通信可能な最小の送信電力に設定することは、移動端末の電力が無駄に消費されなくなり移動端末の省電力化の実現のために有用である。
【０００３】
例えば、移動端末（小型無線機）から基地局（親局）へ送信される接続要求信号に対応する接続応答信号が基地局から移動端末へ返信されるまで、接続要求信号の送信毎に、移動端末の送信電力を順次上げていくという技術がある（例えば、特許文献１参照）。
【０００４】
この技術によれば、接続応答信号が最初に基地局から移動端末へ返信されたときの移動端末の送信電力を基地局と接続可能な最小の送信電力に設定することができる。
そこで、この技術を無線ＬＡＮシステムに適用することで、無線ＬＡＮシステムにおける移動端末の送信電力を基地局と通信可能な最小の送信電力に設定することが可能になり移動端末の省電力化を図ることができる。
【特許文献１】特開平８−２６５２５２号
【発明の開示】
【発明が解決しようとする課題】
【０００５】
しかしながら、上記技術では、移動端末において基地局への接続要求が発生しても、移動端末の送信電力制御が終了するまで移動端末と基地局とが接続できない。そのため、上述のように、上記技術を無線ＬＡＮシステムに適用した場合の既存の移動端末の送信電力制御方法では、移動端末において基地局への送信要求が発生したときに、その送信要求に対応するデータフレームを早く基地局に送信することができないという問題がある。
【０００６】
そこで、本発明では、移動端末の省電力化を図りつつ、基地局への送信要求に対応するデータフレームを移動端末から基地局に短い待ち時間で送信することが可能な移動端末の送信電力制御方法及びその移動端末を提供することを目的とする。
【課題を解決するための手段】
【０００７】
上記の課題を解決するために本発明では、以下のような方法及び構成を採用した。
すなわち、本発明の移動端末の送信電力制御方法は、移動端末と基地局とにより構成される無線ＬＡＮシステムにおける前記移動端末の送信電力制御方法であって、前記移動端末において前記基地局への送信要求がないと判断すると、前記移動端末の送信電力を前記基地局と通信可能な最小の送信電力になるように制御することを特徴とする。
【０００８】
このように、本発明の移動端末の送信電力制御方法では、移動端末の送信電力を基地局と通信可能な最小の送信電力になるように制御しているので、基地局への送信要求に対応するデータフレームを移動端末から基地局に送信する際、移動端末の電力が無駄に消費されなくなるので、移動端末の省電力化を図ることができる。
【０００９】
また、本発明の移動端末の送信電力制御方法は、基地局への送信要求がないときに移動端末の送信電力を制御しているので、基地局への送信要求が発生したときにその送信要求に対応するデータフレームをすぐに移動端末から基地局に送信することができる。これにより、本発明の移動端末の送信電力制御方法は、上述のように、基地局への送信要求が発生してから移動端末の送信電力制御を開始する既存の移動端末の送信電力制御方法に比べて、基地局への送信要求に対応するデータフレームを移動端末から基地局に早く送信することができる。
【００１０】
また、上記移動端末の送信電力制御方法は、前記移動端末において前記基地局への送信要求が発生したとき前記移動端末の送信電力を前記基地局と通信可能な最小の送信電力になるように再度制御するように構成してもよい。
【００１１】
これにより、基地局への送信要求に対応するデータフレームを移動端末から基地局に送信する直前に移動端末が移動するなどして通信環境が変化しても、その通信環境の変化に対応しつつ移動端末の送信電力を基地局と通信可能な最小の送信電力になるように制御することができる。また、基地局への送信要求発生後に行う移動端末の送信電力制御は、基地局への送信要求が発生する前に確定させていた送信電力をもとに再度送信電力制御を行うため、基地局への送信要求が発生してから移動端末の送信電力制御を開始する既存の移動端末の送信電力制御方法に比べて、移動端末の送信電力制御が完了するまでの時間を短縮することができる。
【００１２】
また、上記移動端末の送信電力制御方法は、前記移動端末において前記基地局への送信要求がないと判断すると、消費電力を抑えない通常モードから消費電力を抑えるパワーセーブモードに遷移する旨または前記パワーセーブモードから前記通常モードに復帰した旨を示す通知フレームを前記移動端末から前記基地局に送信し、その通知フレームに対応する応答フレームが前記基地局から前記移動端末に返信されるか否かに基づいて、前記移動端末の送信電力を前記基地局と通信可能な最小の送信電力になるように制御するように構成してもよい。
【００１３】
上記通知フレームとは、例えば、ＩＥＥＥ８０２．１１に準拠する無線ＬＡＮシステムで使用されるＮｕｌｌフレームである。このＮｕｌｌフレームは、移動端末の上位レイヤ（例えば、アプリケーション層など）に渡されないフレームである。上記通知フレームを使用して移動端末の送信電力を制御することにより、移動端末の送信電力の制御中、移動端末の上位レイヤで不要な処理を行う必要がなくなる。
【００１４】
また、上記移動端末の送信電力制御方法は、前記移動端末から送信されるＲＴＳフレームまたはそのＲＴＳフレームに対応するＣＴＳフレームを受信する他の移動端末に送信禁止期間を設定するように構成してもよい。
【００１５】
このように、ＲＴＳフレーム／ＣＴＳフレームを使用することにより、移動端末の電波到達範囲外に存在する他の移動端末、いわゆる隠れ端末とのフレーム衝突により移動端末や基地局の各種フレームが相手に届かなくなることを防止することができるので、より確実に移動端末の送信電力を制御することができる。
【００１６】
また、上記移動端末の送信電力制御方法は、前記ＲＴＳフレームを送信する際の前記移動端末の送信電力を前記基地局と通信可能な最小の送信電力になるように制御するように構成してもよい。
【００１７】
また、上記移動端末の送信電力制御方法は、前記移動端末の送信電力を制御する際、予め前記移動端末の送信電力を前記基地局と通信可能な送信電力になるように十分に大きくした後、その送信電力を前記基地局と通信可能な最小の送信電力になるように徐々に小さくしていくように構成してもよい。
【００１８】
また、本発明の移動端末の送信電力制御方法は、移動端末と基地局とにより構成される無線ＬＡＮシステムにおける前記移動端末の送信電力制御方法であって、消費電力を抑えない通常モードから消費電力を抑えるパワーセーブモードに遷移する旨または前記パワーセーブモードから前記通常モードに復帰した旨を示す通知フレームを前記移動端末から前記基地局に送信し、その通知フレームに対応する応答フレームが前記基地局から前記移動端末に返信されるか否かに基づいて、前記移動端末の送信電力を前記基地局と通信可能な最小の送信電力になるように制御することを特徴とする。
【００１９】
このように、本発明の移動端末の送信電力制御方法は、上述の通知フレームを使用して移動端末の送信電力を制御する構成であるため、基地局への送信要求がないときに移動端末の送信電力制御を行うことができる。これにより、本発明の移動端末の送信電力制御方法は、基地局への送信要求が発生してからその送信要求に対応するデータフレームをすぐに移動端末から基地局に送信することができるので、基地局への送信要求が発生してから移動端末の送信電力制御を開始する既存の移動端末の送信電力制御方法に比べて、基地局への送信要求に対応するデータフレームを移動端末から基地局に早く送信することができる。
【００２０】
また、本発明の移動端末は、無線ＬＡＮシステムにおいて基地局と通信する移動端末であって、送信電力情報を保持する保持手段と、前記基地局への送信要求の有無を検出する送信要求検出手段と、前記基地局への送信要求が無いときに、前記送信電力情報に示す電力で前記基地局へ確認フレームを送信する送信手段と、前記確認フレームに対して前記基地局から返信される応答フレームの有無を検出する応答フレーム検出手段と、前記応答フレームの有無に応じて前記送信電力情報を制御する制御手段とを備えることを特徴とする。
【発明の効果】
【００２１】
本発明によれば、移動端末と基地局とから構成される無線ＬＡＮシステムにおいて、移動端末の省電力化を図りつつ、基地局への送信要求に対応するデータフレームを移動端末から基地局に短い待ち時間で送信することができる。
【発明を実施するための最良の形態】
【００２２】
以下、本発明の実施形態を図面を用いて説明する。
図１は、本発明の実施形態にかかる無線ＬＡＮシステムを示す図である。
図１に示す無線ＬＡＮシステム１は、移動端末２と、基地局３とから構成されている。
【００２３】
移動端末２は、上位レイヤ（例えば、アプリケーション層など）において基地局３への送信要求が発生すると、その送信要求に対応するデータフレーム（またはデータパケット）を生成するＭＡＣ（Ｍｅｄｉａ  Ａｃｃｅｓｓ  Ｃｏｎｔｒｏｌ）部４と、ＭＡＣ部４で生成されたデータフレームを変調するＢＢＰ（Ｂａｓｅ  Ｂａｎｄ  Ｐｒｏｃｅｓｓｏｒ）部５と、ＢＢＰ部５で変調されたデータフレームを搬送信号に載せて基地局３に送信するＲＦ（Ｒａｄｉｏ  Ｆｒｅｑｕｅｎｃｙ）部６とを備えて構成されている。
【００２４】
例えば、ＭＡＣ部４は、基地局３への送信要求の有無を検出する送信要求検出部（送信要求検出手段）と、Ｎｕｌｌフレーム（通知フレーム、確認フレーム）に対して基地局３から返信されるＡＣＫ（ＡＣＫｎｏｗｌｅｄｇｅ）フレーム（応答フレーム）の有無を検出する応答フレーム検出部（応答フレーム検出手段）と、そのＡＣＫフレームの有無に応じて送信電力情報を制御する制御部（制御手段）とを備えて構成されている。
【００２５】
また、例えば、ＲＦ部６は、送信電力情報を保持するレジスタ７（保持手段）と、レジスタ７に保持した送信電力情報に示す電力で基地局３へ各種フレームを送信する送信部（送信手段）とを備えて構成されている。
【００２６】
なお、ＭＡＣ部４は、ＲＦ部６のレジスタ７に書き込まれる送信電力情報を変更することにより移動端末２の送信電力を更新することができる。また、移動端末２が他の移動端末２や基地局３からフレームを受信する際、ＲＦ部６は受信フレームをベースバンド信号に変換し、ＢＢＰ部５はベースバンド信号に変換された受信フレームを復調し、ＭＡＣ部４は復調された受信フレームを上位レイヤに渡す。  
図２は、移動端末２の送信電力制御方法の概要を説明するための図である。図２（ａ）は、移動端末２から基地局３へのＮｕｌｌフレームの送信タイミング及びそのＮｕｌｌフレームに対応する基地局３から移動端末２へのＡＣＫフレームの送信タイミングを示すタイミングチャートである。図２（ｂ）は、各Ｎｕｌｌフレームの送信電力を示す図である。なお、図２（ｂ）のグラフの縦軸は移動端末２の送信電力を示している。また、図２（ｂ）のグラフの横軸は時間を示し、図２（ａ）のタイミングチャートの時間を示す横軸と一致している。また、Ｎｕｌｌフレーム送信中の移動端末２の送信電力は一定とする。また、本実施形態で使用するＮｕｌｌフレームは、例えば、ＩＥＥＥ８０２．１１の規格に準拠する無線ＬＡＮシステムに使用されるフレームであって、移動端末２の上位レイヤに渡されないフレームである。このＮｕｌｌフレームは、本来、消費電力を抑えない通常モードから消費電力を抑えるパワーセーブモードに遷移する旨またはパワーセーブモードから通常モードに復帰した旨を移動端末２から基地局３へ通知するためのフレームである。
【００２７】
まず、移動端末２は、基地局３と通信可能な十分に大きな送信電力で基地局３へＮｕｌｌフレーム（１）を送信する。
次に、移動端末２は、Ｎｕｌｌフレーム（１）に対して基地局３から返信されるＡＣＫフレーム（１）を受信すると、Ｎｕｌｌフレーム（１）を送信した際の送信電力により基地局３と通信が可能であると判断し送信電力を下げる。
【００２８】
次に、移動端末２は、基地局３へＮｕｌｌフレーム（２）を送信する。
次に、移動端末２は、Ｎｕｌｌフレーム（２）に対して基地局３から返信されるＡＣＫフレーム（２）を受信すると、Ｎｕｌｌフレーム（２）を送信した際の送信電力により基地局３と通信が可能であると判断し送信電力をさらに下げる。
【００２９】
そして、移動端末２は、Ｎｕｌｌフレームに対応するＡＣＫフレームが基地局３から返答されなくなる（ｎ＋１）まで、Ｎｕｌｌフレームの送信毎に送信電力を下げ続け、ＡＣＫフレームが基地局３から返答されなくなったときのＮｕｌｌフレーム（ｎ＋１）の１つ前に送信したＮｕｌｌフレーム（ｎ）の送信電力を基地局３と通信可能な最小の送信電力とする。
【００３０】
これにより、移動端末２の送信電力を基地局３と通信可能な最小の送信電力に制御することができるので、基地局３への送信要求に対応するデータフレームを移動端末２から基地局３に送信する際、移動端末２の電力が無駄に消費されなくなり、移動端末２の省電力化を図ることができる。
【００３１】
また、Ｎｕｌｌフレームを使用して移動端末２の送信電力を制御することにより、基地局３への送信要求がないときに移動端末２の送信電力制御を行うことができる。これにより、基地局３への送信要求が発生してからその送信要求に対応するデータフレームをすぐに移動端末２から基地局３に送信することができるので、上述のように、基地局への送信要求が発生してから移動端末の送信電力制御を開始する既存の移動端末の送信制御方法に比べて、基地局３への送信要求に対応するデータフレームを移動端末２から基地局３に早く送信することができる。
【００３２】
また、Ｎｕｌｌフレームを使用して移動端末２の送信電力を制御することにより、必要なフレーム（例えば、基地局３への送信要求に対応するデータフレーム）を喪失したり、移動端末２の送信電力の制御中に移動端末２の上位レイヤで不要な処理を行う必要がなくなる。
【００３３】
図３は、移動端末２及び基地局３のそれぞれの一連の動作を示すシーケンス図である。
まず、移動端末２は、送信電力の制御を開始する（Ｓ１）。なお、移動端末２の送信電力を示す送信電力情報の初期値は、基地局３と通信可能な十分に大きな値とする。
【００３４】
次に、移動端末２は、トラフィックが混雑しているか否かを判断する（Ｓ２）。
トラフィックが混雑していると判断した場合（Ｓ２がＹｅｓ）、移動端末２は、トラフィックが混雑しているか否かを判断する状態（Ｓ２）に戻り、再度判断する。
【００３５】
一方、トラフィックが空いていると判断した場合（Ｓ２がＮｏ）、移動端末２は、上位レイヤから送信要求があるか否かを判断する（Ｓ３）。
上位レイヤから送信要求があると判断した場合（Ｓ３がＹｅｓ）、移動端末２は、上位レイヤから送信要求があるか否かを判断する状態（Ｓ３）に戻り、再度判断する。
【００３６】
一方、上位レイヤから送信要求がないと判断した場合（Ｓ３がＮｏ）、移動端末２は、Ｎｕｌｌフレームを基地局３に送信する（Ｓ４）。
なお、Ｓ２は、必要に応じて省略してもよい。
【００３７】
次に、基地局３は、受信待機状態（ｉｄｌｅ）のとき（Ｓ５）、Ｎｕｌｌフレームを受信すると、Ｎｕｌｌフレームの受信が成功したか否かを判断する（Ｓ６）。例えば、基地局３は、Ｎｕｌｌフレームを構成するＦＣＳ（Ｆｒａｍｅ  Ｃｈｅｃｋ  Ｓｅｑｕｅｎｃｅ）に基づいてＮｕｌｌフレームの受信が成功したか否かを判断してもよい。
【００３８】
Ｎｕｌｌフレームの受信が成功しなかったと判断した場合（Ｓ６がＮｏ）、基地局３は、受信待機状態（Ｓ５）に戻る。
一方、Ｎｕｌｌフレームの受信が成功したと判断した場合（Ｓ６がＹｅｓ）、基地局３は、ＡＣＫフレームを移動端末２に返信し（Ｓ７）、受信待機状態（Ｓ５）に戻る。
【００３９】
次に、移動端末２は、ＡＣＫフレームを受信すると、ＡＣＫフレームの受信が成功したか否かを判断する（Ｓ８）。
ＡＣＫフレームの受信が成功したと判断した場合（Ｓ８がＹｅｓ）、移動端末２は、送信電力を抑制して、これから送信するＮｕｌｌフレームを送信する際の送信電力とし、その送信電力を示す送信電力情報を図１に示すレジスタ７に書き込み（Ｓ９）、Ｓ１に戻る。
【００４０】
一方、ＡＣＫフレームの受信が成功しなかったと判断した場合（Ｓ８がＮｏ）、移動端末２は、前回Ｎｕｌｌフレームを送信したときの送信電力を基地局３への送信要求に対応するデータフレームを送信する際の送信電力として確定し、その送信電力を示す送信電力情報を図１に示すレジスタ７に書き込み（Ｓ１０）、送信電力制御を終了する。なお、初期値の送信電力でＮｕｌｌフレームを送信した場合において、ＡＣＫフレームの受信が成功しなかったと判断した場合は、初期値の送信電力をデータフレームを送信する際の送信電力として確定する。
【００４１】
このように、基地局３への送信要求がないと判断した場合に移動端末２の送信電力を制御しているので、基地局３への送信要求が発生してからその送信要求に対応するデータフレームをすぐに移動端末２から基地局３に送信することができる。これにより、上述のように、基地局への送信要求が発生してから移動端末の送信電力制御を開始する既存の移動端末の送信電力制御方法に比べて、基地局３への送信要求に対応するデータフレームを移動端末２から基地局３に早く送信することができる。また、基地局３への送信要求がないと判断した場合に移動端末２の送信電力を制御する構成は、移動端末２の送信電力を制御するためのフレームとしてＮｕｌｌフレーム以外のフレームを使用することができる。
【００４２】
また、上記無線ＬＡＮシステム１において、移動端末２の送信電力を制御する際、ＲＴＳ（Ｒｅｑｕｅｓｔ  Ｔｏ  Ｓｅｎｄ）フレーム／ＣＴＳ（Ｃｌｅａｒ  Ｔｏ  Ｓｅｎｄ）フレームを使用することによりトラフィックを占有してもよい。なお、このとき使用されるＲＴＳフレーム／ＣＴＳフレームは、送信電力制御用として送信されるＮｕｌｌフレームと隠れ端末から送信されるフレームとが衝突するのを回避するためのものであり、データフレームを送信する際に使用されるＲＴＳフレーム／ＣＴＳフレームとは無関係である。
【００４３】
図４は、ＲＴＳフレーム／ＣＴＳフレームを使用する場合の移動端末２及び基地局３のそれぞれの一連の動作を示すシーケンス図である。なお、本実施例の移動端末２は、ＲＴＳフレームを送信する際の送信電力を示す送信電力情報を記憶するレジスタ１（保持手段）とＮｕｌｌフレームを送信する際の送信電力を示す送信電力情報を記憶するレジスタ２（保持手段）とを有する。
【００４４】
まず、移動端末２は、送信電力の制御を開始する（ＳＴ１）。なお、移動端末２の送信電力を示す送信電力情報の初期値は、基地局３と通信可能な十分に大きな値とし、レジスタ１に記憶されているものとする。
【００４５】
次に、移動端末２は、上位レイヤから送信要求があるか否かを判断する（ＳＴ２）。
上位レイヤから送信要求があると判断した場合（ＳＴ２がＹｅｓ）、移動端末２は、上位レイヤから送信要求があるか否かを判断する状態（ＳＴ２）に戻り、再度判断する。
【００４６】
一方、上位レイヤから送信要求がないと判断した場合（ＳＴ２がＮｏ）、移動端末２は、ＲＴＳフレームを送信電力の初期値で基地局３に送信する（ＳＴ３）。
なお、ＳＴ１〜ＳＴ２の間に、必要に応じて図３のＳ２を追加してもよい。
【００４７】
次に、基地局３は、受信待機状態（ｉｄｌｅ）のとき（ＳＴ４）、ＲＴＳフレームを受信すると、ＲＴＳフレームの受信が成功したか否かを判断する（ＳＴ５）。
ＲＴＳフレームの受信が成功しなかったと判断した場合（ＳＴ５がＮｏ）、基地局３は、受信待機状態（ＳＴ４）に戻る。
【００４８】
一方、ＲＴＳフレームの受信が成功したと判断した場合（ＳＴ５がＹｅｓ）、基地局３は、ＣＴＳフレームを移動端末２に返信する（ＳＴ６）。
次に、移動端末２は、ＣＴＳフレームを基地局３から受信すると、ＣＴＳフレームの受信が成功したか否かを判断する（ＳＴ７）。
【００４９】
ＣＴＳフレームの受信が成功しなかったと判断した場合（ＳＴ７がＮｏ）、移動端末２は、ＳＴ１に戻る。
一方、ＣＴＳフレームの受信が成功したと判断した場合（ＳＴ７がＹｅｓ）、移動端末２は、前回Ｎｕｌｌフレームを送信した送信電力（ＳＴ１３においてレジスタ２に書き込まれた送信電力情報）を抑制して、これから送信するＮｕｌｌフレームを送信する際の送信電力とし、その送信電力を示す送信電力情報をレジスタ２に書き込む（ＳＴ８）。なお、初回は、初期値の送信電力を抑制してこれから送信するＮｕｌｌフレームを送信する際の送信電力とする。
【００５０】
次に、移動端末２は、Ｎｕｌｌフレームを基地局３に送信する（ＳＴ９）。
次に、基地局３は、Ｎｕｌｌフレームを受信すると、Ｎｕｌｌフレームの受信が成功したか否かを判断する（ＳＴ１０）。
【００５１】
Ｎｕｌｌフレームの受信が成功しなかったと判断した場合（ＳＴ１０がＮｏ）、基地局３は、受信待機状態（ＳＴ４）に戻る。
一方、Ｎｕｌｌフレームの受信が成功したと判断した場合（ＳＴ１０がＹｅｓ）、基地局３は、ＡＣＫフレームを移動端末２に返信し（ＳＴ１１）、受信待機状態（ＳＴ４）に戻る。
【００５２】
次に、移動端末２は、ＡＣＫフレームを基地局３から受信すると、ＡＣＫフレームの受信が成功したか否かを判断する（ＳＴ１２）。
ＡＣＫフレームの受信が成功したと判断した場合（ＳＴ１２がＹｅｓ）、移動端末２は、このときの送信電力を示す送信電力情報をレジスタ２に書き込み（ＳＴ１３）、ＳＴ１に戻る。
【００５３】
一方、ＡＣＫフレームの受信が成功しなかったと判断した場合（ＳＴ１２がＮｏ）、移動端末２は、前回Ｎｕｌｌフレームを送信したときの送信電力を基地局３と通信可能な最小の送信電力として確定し、その送信電力を示す送信電力情報をレジスタ２に書き込み（ＳＴ１４）、送信電力制御を終了する。
【００５４】
なお、初期値の送信電力でＮｕｌｌフレームを送信した場合において、ＡＣＫフレームの受信が成功しなかったと判断した場合は、初期値の送信電力を、基地局３への送信要求に対応するデータフレームを送信する際の送信電力として確定する。
【００５５】
また、図４に示すフローチャートにおいて、更新後の送信電力情報をＭＡＣ部４のレジスタ（保持手段）に記憶するように構成してもよい。
ここで、例えば、３つの移動端末２と１つの基地局３とから構成される無線ＬＡＮシステム１において、ＲＴＳフレーム／ＣＴＳフレームを使用する場合を考える。
【００５６】
図５は、３つの移動端末２（ＳＴＡａ、ＳＴＡｂ、ＳＴＡｃ）と１つの基地局３（ＡＰ）とのそれぞれの位置関係の一例を示す図である。なお、図５において、ａｐはＡＰの電波到達範囲を示し、ａ１はＳＴＡａの送信電力をＡＰと通信可能な十分に大きな送信電力に設定したときのＳＴＡａの電波到達範囲を示し、ａ２はＳＴＡａの送信電力をＡＰと通信可能な最小の送信電力に設定したときのＳＴＡａの電波到達範囲を示し、ｂはＳＴＡｂの電波到達範囲を示し、ｃはＳＴＡｃの電波到達範囲を示している。
【００５７】
ＳＴＡａの送信電力をＡＰと通信可能な十分に大きな送信電力に設定した場合、ＳＴＡａから送信されるフレームは、ＡＰ及びＳＴＡｂに届く。そのため、ＳＴＡｃは、ＳＴＡａの隠れ端末である。また、ＡＰから送信されるフレームは、ＳＴＡａ及びＳＴＡｃに届くものとする。
【００５８】
図６は、図５に示すＡＰ、ＳＴＡａ、ＳＴＡｂ、ＳＴＡｃのそれぞれの位置関係において、ＳＴＡａからＡＰに送信されるＲＴＳフレーム、ＡＰからＳＴＡａに送信されるＣＴＳフレーム、ＳＴＡａからＡＰに送信されるＮｕｌｌフレーム、及びＡＰからＳＴＡａに送信されるＡＣＫフレームのそれぞれの送信タイミング、並びに、ＳＴＡｂ及びＳＴＡｃのそれぞれのＮＡＶ（Ｎｅｔｗｏｒｋ  Ａｌｌｏｃａｔｉｏｎ  Ｖｅｃｔｏｒ：ＲＴＳフレームまたはＣＴＳフレームなどにより設定される送信禁止期間）実行タイミングを示すタイミングチャートである。
【００５９】
（１）ＳＴＡａは、ＡＰにＲＴＳフレームを送信する。なお、ＲＴＳフレームの送信時のＳＴＡａの送信電力は、上述のように、基地局３と通信可能な十分に大きな送信電力である。また、このときのＲＴＳフレームは、ＳＴＡｂにも届き、ＳＴＡｂは、ＲＴＳフレームに示される送信先情報やトラフィック使用予定時間情報などに基づいてＮＡＶを設定する。これにより、ＳＴＡａとＡＰとの通信が終了するまでＳＴＡｂが送信禁止状態になるため、ＳＴＡａから送信されるフレームとＳＴＡｂから送信されるフレームとの衝突を回避することができる。
【００６０】
（２）ＡＰは、ＳＴＡａにＣＴＳフレームを返信する。このときのＣＴＳフレームは、ＳＴＡｃにも届き、ＳＴＡｃは、ＣＴＳフレームに示される送信先情報やトラフィック使用予定時間情報などに基づいてＮＡＶを設定する。これにより、ＳＴＡａとＡＰとの通信が終了するまでＳＴＡｃが送信禁止状態になるため、ＳＴＡａから送信されるフレームとＳＴＡｃから送信されるフレームとの衝突を回避することができる。
【００６１】
（３）ＳＴＡａは、ＣＴＳフレームを受信すると、送信電力を抑制する（初回の送信電力抑制は行わない）と共にＮｕｌｌフレームの「Ｐｏｗｅｒ  Ｍａｎａｇｅｍｅｎｔ  ｂｉｔ」を「０（ゼロ）」に設定し、そのＮｕｌｌフレームをＡＰに送信する。なお、ＡＰは、「Ｐｏｗｅｒ  Ｍａｎａｇｅｍｅｎｔ  ｂｉｔ」が「０」のＮｕｌｌフレームを受信すると、ＳＴＡａがパワーセーブモードから通常モードに復帰したと判断するように設定されているものとする。そのため、ＮｕｌｌフレームをＳＴＡａからＡＰに送り続けてもＡＰは常にＳＴＡａからのフレーム受信に備えておくことができる。
【００６２】
（４）ＡＰは、Ｎｕｌｌフレームを正常に受信すると、Ｎｕｌｌフレームに対応するＡＣＫフレームをＳＴＡａに返信する。
（５）ＳＴＡａは、ＡＣＫフレームを受信すると、ＮｕｌｌフレームがＡＰに届いたと判断し、上記（１）、（３）を繰り返す。
【００６３】
一方、ＳＴＡａは、ＡＣＫフレームが受信できないと、ＮｕｌｌフレームがＡＰに届かなかったと判断し、前回Ｎｕｌｌフレームを送信したときの送信電力（初回（初期値の送信電力でＮｕｌｌフレームを送信）は、初期値の送信電力）をＡＰと通信可能な最小の送信電力として確定する。
【００６４】
このように、ＲＴＳフレーム／ＣＴＳフレームを使用することにより、ＳＴＡａと干渉する可能性のあるＳＴＡｂ及びＳＴＡｃは、それぞれ、ＮＡＶを設定することができるため、ＳＴＡａの送信電力の制御が終了するまでフレームの送信を禁止することができる。これにより、ＳＴＡａは、送信電力を制御する際、ＳＴＡｂやＳＴＡｃと干渉することを回避することができるので、より確実に送信電力の制御を行うことができる。
【００６５】
また、上記実施形態では、Ｎｕｌｌフレームの送信電力のみを更新しＲＴＳフレームの送電電力を固定にしているが、ＲＴＳフレームの送信電力もＮｕｌｌフレームと同じように更新させてもよい。
【００６６】
図７は、ＲＴＳフレームの送信電力を制御する場合の移動端末２及び基地局３のそれぞれの一連の動作を示すシーケンス図である。なお、図７のＳＴＰ１〜ＳＴＰ７の動作は、図４のＳＴ１〜ＳＴ７の動作と同じであるため説明を省略する。また、ＳＴＰ１〜ＳＴＰ２の間に、必要に応じて図３のＳ２を追加してもよい。
【００６７】
まず、ＣＴＳフレームの受信が成功したと判断した場合（ＳＴＰ７がＹｅｓ）、移動端末２は、Ｎｕｌｌフレームを基地局３に送信する（ＳＴＰ８）。
次に、基地局３は、Ｎｕｌｌフレームを受信すると、Ｎｕｌｌフレームの受信が成功したか否かを判断する（ＳＴＰ９）。
【００６８】
Ｎｕｌｌフレームの受信が成功しなかったと判断した場合（ＳＴＰ９がＮｏ）、基地局３は、受信待機状態（ｉｄｌｅ）に戻る（ＳＴＰ４）。
一方、Ｎｕｌｌフレームの受信が成功したと判断した場合（ＳＴＰ９がＹｅｓ）、基地局３は、ＡＣＫフレームを移動端末２に返信し（ＳＴＰ１０）、受信待機状態に戻る（ＳＴＰ４）。
【００６９】
次に、移動端末２は、ＡＣＫフレームを基地局３から受信すると、ＡＣＫフレームの受信が成功したか否かを判断する（ＳＴＰ１１）。
ＡＣＫフレームの受信が成功したと判断した場合（ＳＴＰ１１がＹｅｓ）、移動端末２は、送信電力を抑制して、これから送信するＲＴＳフレームを送信する際の送信電力とし、その送信電力を示す送信電力情報を図１に示すレジスタ７に書き込み（ＳＴＰ１２）、ＳＴＰ１に戻る。
【００７０】
一方、ＡＣＫフレームの受信が成功しなかったと判断した場合（ＳＴＰ１１がＮｏ）、移動端末２は、前回Ｎｕｌｌフレームを送信したときの送信電力を基地局３と通信可能な最小の送信電力として確定し、その送信電力を示す送信電力情報を図１に示すレジスタ７に書き込み（ＳＴＰ１３）、送信電力制御を終了する。なお、初期値の送信電力でＮｕｌｌフレームを送信した場合において、ＡＣＫフレームの受信が成功しなかったと判断した場合は、初期値の送信電力を基地局３への送信要求に対応するデータフレームを送信する際の送信電力として確定する。
【００７１】
また、図７に示すフローチャートにおいて、更新後の送信電力情報をＭＡＣ部４のレジスタに記憶するように構成してもよい。
ここで、例えば、図４に示すシーケンス図において、ＡＣＫフレーム受信毎に送信電力を１０％下げる場合で、かつ、３回目の送信電力制御で送信電力が確定する場合を考える。なお、初期値の送信電力を１００％とし、レジスタ２に送信電力情報が書き込まれてから実際に送信電力が目標の送信電力に下がるまで回路遅延はないものとする。
【００７２】
１回目の送信電力制御時、ＲＴＳフレームの送信電力は１００％、Ｎｕｌｌフレームの送信電力は１００％である。
２回目の送信電力制御時、ＲＴＳフレームの送信電力は１００％、Ｎｕｌｌフレームの送信電力は９０％になる。
【００７３】
３回目の送信電力制御時、ＲＴＳフレームの送信電力は１００％、Ｎｕｌｌフレームの送信電力は８０％になる。
また、例えば、図７に示すシーケンス図において、ＡＣＫフレーム受信毎に送信電力を１０％下げる場合で、かつ、３回目の送信電力制御で送信電力が確定する場合を考える。なお、初期値の送信電力を１００％とし、レジスタ７に送信電力情報が書き込まれてから実際に送信電力が目標の送信電力に下がるまで回路遅延はないものとする。
【００７４】
１回目の送信電力制御時、ＲＴＳフレームの送信電力は１００％、Ｎｕｌｌフレームの送信電力は１００％である。
２回目の送信電力制御時、ＲＴＳフレームの送信電力は９０％、Ｎｕｌｌフレームの送信電力は９０％になる。
【００７５】
３回目の送信電力制御時、ＲＴＳフレームの送信電力は８０％、Ｎｕｌｌフレームの送信電力は８０％になる。
また、上記実施形態では、上記移動端末２において基地局３への送信要求が発生したとき移動端末２の送信電力を再度制御するように構成してもよい。
【００７６】
図８は、移動端末２において基地局３への送信要求が発生したとき移動端末２の送信電力を再度制御する場合の移動端末２の動作を示すフローチャートである。なお、図８のＳＴＥＰ１〜ＳＴＥＰ２の動作は、図３のＳ１〜Ｓ１０の動作または図４のＳＴ１〜ＳＴ１４の動作または図７のＳＴＰ１〜ＳＴＰ１３の動作と同じであるため省略する。
【００７７】
まず、移動端末２は、送信待機状態（ｉｄｌｅ）のとき（ＳＴＥＰ３）、上位レイヤから送信要求があると、上位レイヤからの送信要求に対応するデータフレームをＳＴＥＰ２で確定した送信電力で基地局３に送信する（ＳＴＥＰ４）。なお、データフレームを送信する際、ＲＴＳフレーム／ＣＴＳフレームを使用してもよい。
【００７８】
次に、移動端末２は、ＳＴＥＰ４で送信したデータフレームに対応するＡＣＫフレームを基地局３から受信すると、そのＡＣＫフレームの受信が成功したか否かを判断する（ＳＴＥＰ５）。
【００７９】
ＡＣＫフレームの受信が成功したと判断した場合（ＳＴＥＰ５がＹｅｓ）、移動端末２は、送信待機状態に戻る（ＳＴＥＰ３）。
一方、ＡＣＫフレームの受信が成功しなかったと判断した場合（ＳＴＥＰ５がＮｏ）、移動端末２は、送信電力を再度制御する必要があると判断し（ＳＴＥＰ６）、ＳＴＥＰ１に戻り再度送信電力制御を行う。なお、ＡＣＫフレームの受信失敗の比率はそのときの通信の条件による。
【００８０】
このように、移動端末２において基地局３への送信要求が発生したとき移動端末２の送信電力を再度制御することにより、基地局３への送信要求に対応するデータフレームを送信する直前に移動端末２が移動するなどして通信環境が変化してもその通信環境の変化に対応しつつ移動端末２の送信電力を基地局３と通信可能な最小の送信電力になるように制御することができる。
【００８１】
また、図８に示す移動端末２の送信電力制御方法は、図８のＳＴＥＰ１〜ＳＴＥＰ２によりすでに１度移動端末２の送信電力が確定しているため、上述のように、基地局への送信要求が発生してから移動端末の送信電力制御を開始する既存の移動端末の送信電力制御方法に比べて、基地局への送信要求が発生してから移動端末の送信電力制御が完了するまでの時間を短縮することができ、基地局３への送信要求に対応するデータフレームを移動端末２から基地局３に早く送信することができる。
【００８２】
また、上記実施形態では、移動端末２の送信電力を制御する際、予め移動端末２の送信電力を基地局３と通信可能な送信電力になるように十分に大きくした後、その送信電力を基地局３と通信可能な最小の送信電力になるように徐々に小さくしていく構成であるが、移動端末２の送信電力を制御する際、予め移動端末２の送信電力を基地局３と通信不可能な送信電力になるように十分に小さくした後、その送信電力を基地局３と通信可能な最小の送信電力になるように徐々に大きくしていくように構成してもよい。この場合、Ｎｕｌｌフレームに対応するＡＣＫフレームが基地局３から移動端末２に最初に返信されたときの移動端末２の送信電力を、基地局３と通信可能な最小の送信電力とする。
【００８３】
また、上記実施形態では、移動端末２の送信電力を制御する構成であるが、基地局３の送信電力を移動端末２毎に制御するように構成してもよい。
【図面の簡単な説明】
【００８４】
【図１】本発明の実施形態にかかる無線ＬＡＮシステムを示す図である。
【図２】移動端末の送信電力制御方法の概要を説明するための図である。
【図３】移動端末及び基地局のそれぞれの一連の動作を示すシーケンス図である。
【図４】ＲＴＳフレーム／ＣＴＳフレームを使用する場合の移動端末及び基地局のそれぞれの一連の動作を示すシーケンス図である。
【図５】３つの移動端末と１つの基地局のそれぞれの位置関係の一例を示す図である。
【図６】ＲＴＳフレーム、ＣＴＳフレーム、Ｎｕｌｌフレーム、及びＡＣＫフレームの各送信タイミング、並びに、ＮＡＶ実行タイミングを示すタイミングチャートである。
【図７】ＲＴＳフレームの送信時から移動端末の送信電力を更新させる場合の移動端末及び基地局のそれぞれの一連の動作を示すシーケンス図である。
【図８】送信要求が発生したとき移動端末の送信電力を再度制御する場合の移動端末の動作を示すフローチャートである。
【符号の説明】
【００８５】
１  無線ＬＡＮシステム
２  移動端末
３  基地局
４  ＭＡＣ部
５  ＢＢＰ部
６  ＲＦ部
７  レジスタ
【図１】
2007174250.tif 000003
【図２】
2007174250.tif 000004
【図３】
2007174250.tif 000005
【図４】
2007174250.tif 000006
【図５】
2007174250.tif 000007
【図６】
2007174250.tif 000008
【図７】
2007174250.tif 000009
【図８】
2007174250.tif 000010